(57)【要約】【課題】取り扱いが容易なリフィルを提供する。【解決手段】リフィル１０は、軸部１１と、該軸部１１の両端から軸部１１の径方向Ｄに向かって延出する一対の保持部１２ａ，１２ｂとを有して構成される。リフィル１０は、その軸部１１が、直線ステープルを並列に接続したシート状の連結ステープル２１をロール状に巻き回したロールステープル２０の中心部の挿通部２２に挿通される。リフィル１０とロールステープル２０とで、カートリッジ３０に着脱自在に装填されるステープルユニットＳｕを構成する。一対の保持部１２ａ，１２ｂを保持してステープルユニットＳｕをカートリッジ３０に装填し、このカートリッジ３０をステープラ１００に着脱自在に装着する。【選択図】図２
2018012173.tif 000002
【特許請求の範囲】
【請求項１】
軸部と、
前記軸部の一端側から該軸部の径方向に向かって延出する保持部と、を有することを特徴とするリフィル。
【請求項２】
請求項１に記載のリフィルにおいて、
前記保持部は、前記軸部の周方向へ向かって突出する突出部を有することを特徴とするリフィル。
【請求項３】
請求項２に記載のリフィルにおいて、
前記突出部は、前記保持部の周方向の一の側のみに設けられていることを特徴とするリフィル。
【請求項４】
請求項２に記載のリフィルにおいて、
前記突出部は、前記保持部の周方向の一の側及び他の側に、互いに異なる形状で設けられていることを特徴とするリフィル。
【請求項５】
請求項１に記載のリフィルにおいて、
前記保持部は、前記軸部の周方向のうちの一部の領域から、径方向に延出することを特徴とするリフィル。
【請求項６】
請求項１に記載のリフィルにおいて、
前記軸部が、嵌合突部を有する第１軸と、前記嵌合突部を嵌合し、該嵌合突部の外径寸法よりも内径寸法が小さい嵌合凹部を有する第２軸とから構成されることを特徴とするリフィル。
【請求項７】
請求項１ないし請求項６のいずれか一項に記載のリフィルにおいて、
前記軸部は、直線ステープルを並列に接続したシート状の連結ステープルを巻き回したロールステープルの中心部に設けられた空洞部に挿通されることを特徴とするリフィル。
【請求項８】
請求項７に記載のリフィルにおいて、
前記保持部は、前記ロールステープルの端面の一部を覆う形状であることを特徴とするリフィル。
【請求項９】
請求項２ないし請求項６のいずれか一項に記載のリフィルにおいて、
前記軸部は、直線ステープルを並列に接続したシート状の連結ステープルを巻き回したロールステープルの中心部に設けられた空洞部に挿通され、
前記突出部は、前記軸部の周方向のうち、前記ロールステープルが引き出される一の周方向とは反対の他の周方向へ突出して設けられていることを特徴とするリフィル。
【発明の詳細な説明】
【技術分野】
【０００１】
この発明は、リフィルに関するものである。
【背景技術】
【０００２】
ステープラでは、複数の直線ステープルを並列に接続したシート状の連結ステープルをロール状に巻き回したロールステープルが使用されている。ステープラでステープルを使い切ったときには、ロールステープルを直接にステープラに装着したり、ロールステープルを装填したカートリッジを空のカートリッジと交換したりすることによって補充している。
【０００３】
また、資源の節約等を目的として、カートリッジにロールステープルを詰め替えてステープルに装着する詰め替え式カートリッジが開発されている（例えば、特許文献１、２参照）。このような詰め替え用の製品はリフィル（詰め替え用品）と呼ばれる。リフィルを詰め替え式カートリッジに装填するときには、ロールステープルの両側の端面を直接に手指で保持して行っている。
【先行技術文献】
【特許文献】
【０００４】
【特許文献１】特開２００４−１３０４５５号公報
【特許文献２】特開２０００−３５４９８０号公報
【発明の概要】
【発明が解決しようとする課題】
【０００５】
しかしながら、従来技術のリフィルでは、ロールステープルがむき出しになっており、直線ステープルの先端が手指に当たるため、保持しにくく、取り扱いが容易ではなかった。特許文献２では、ロールステープルの中心に軸を挿通したリフィルが開示されているが、この場合もロールステープルがむき出しであり、直線ステープルの先端が手指に当たらないように軸のみを保持するのは容易ではなかった。
【０００６】
本発明は、上記の事情に鑑みて為されたもので、取り扱いが容易なリフィルを提供することを目的としている。
【課題を解決するための手段】
【０００７】
上記課題を解決するために、本発明のリフィルは、軸部と、前記軸部の一端側から該軸部の径方向に向かって延出する保持部と、を有することを特徴とする。
【発明の効果】
【０００８】
本発明によれば、上記構成によって、取り扱いが容易なリフィルを提供することができる。
【図面の簡単な説明】
【０００９】
【図１】本願の実施の形態１に係るリフィルを有するステープルユニットを装填したカートリッジと、カートリッジを装着して使用するステープラの一例を示す斜視図である。
【図２】図１のリフィルを説明するための説明図であって、（ａ）はリフィルの全体構成を示す斜視図であり、（ｂ）はリフィルを有するステープルユニットと、蓋を開いた状態のカートリッジの斜視図である。
【図３】ステープルユニットを装填して蓋を開いた状態のカートリッジの斜視図である。
【図４】ステープルユニットを装填して蓋を閉じた状態のカートリッジの斜視図である。
【図５】図４のカートリッジの断面図であって、（ａ）はカートリッジの中心を通り左右方向に垂直な面で切断した横断面図であり、（ｂ）は軸部の中心軸を通り前後方向に垂直な面で切断した縦断面図である。
【発明を実施するための形態】
【００１０】
（実施の形態１）
以下、本願の実施の形態１を、図面を参照しながら詳細に説明する。図１，図２の各斜視図に示すように、実施の形態１のリフィル１０は、ロールステープル２０の中心部に設けられた空洞部に挿通される。実施の形態１では、リフィル１０とロールステープル２０とで、いわゆる詰め替え品としてカートリッジ３０等に着脱自在に装填されるステープルユニットＳｕを構成している。
【００１１】
カートリッジ３０は、ステープラ１００に着脱自在に装着される。図１に示すように、ステープラ１００の後方にはカートリッジ装着室１０１とリアドア１０２が設けられている。このリアドア１０２を開放することで、カートリッジ装着室１０１が現れ、カートリッジ３０の着脱が可能となっている。
【００１２】
ステープラ１００は、特に限定されることはないが、例えば、綴じ用紙にステープルを打ち込むドライバ機構部、綴じ用紙を貫通したステープルの針脚を折り曲げるクリンチャ機構部等を備えた卓上式の電動ステープラが好適に用いられる。このような電動ステープラとしては、例えば、特許第４５１３４４２号公報、特許第４１０３７６６号公報に記載のもの等が挙げられる。なお、実施の形態１のリフィル１０を適用するステープラ１００は、それ自身が独立して単体で用いられる卓上式の電動ステープラに限定されることはない。例えば、コピー機やコピー機で処理を施された用紙に対して後処理を施す用紙後処理装置などに搭載された電動ステープラに適用することもできる。
【００１３】
ここで、図１、図２の斜視図を用いて、実施の形態１における「方向」について説明する。実施の形態１では、使用者（ユーザ）がステープラ１００と対面した状態を基準として、矢印ＦＲで示す使用者の方向を前方とし、その反対方向である矢印ＲＲの方向を後方とする。また、使用者がステープラ１００と対面したときの使用者の左手方向である矢印Ｌの方向を左方とし、右手方向である矢印Ｒの方向を右方とする。また、矢印ＵＰの方向を上方、矢印ＤＮの方向を下方とする。
【００１４】
（リフィルの構成）
次に、リフィル１０の構成について説明する。実施の形態１のリフィル１０は、図２（ａ）に示すように、軸部１１と、該軸部１１の両端から軸部１１の径方向（図２（ｂ）の矢印Ｄの方向）に向かって延出する一対の保持部１２ａ，１２ｂとを有している。
【００１５】
軸部１１は、一本の軸で構成することもできるが、実施の形態１では、第１軸１１ａと第２軸１１ｂからなる２つの軸で構成されている。第１軸１１ａの一端に嵌合突部１３を設け、この嵌合突部１３の外径寸法よりも、内径寸法がやや小さい嵌合凹部１４を第２軸１１ｂの一端に設けている。そして嵌合突部１３を嵌合凹部１４に圧入することで、第１軸１１ａと第２軸１１ｂを容易に分離不能に連結している（図５（ｂ）参照）。
【００１６】
そして、上記第１軸１１ａの他端に一方の保持部１２ａが設けられ、上記第２軸１１ｂの他端に他方の保持部１２ｂが設けられている。一対の保持部１２ａ、１２ｂは、第１軸１１ａ、第２軸１１ｂの他端（軸部１１の両端部）の外周の一部から、軸部１１の直径とほぼ同じ幅で径方向Ｄに延出して設けられている。この一対の保持部１２ａ，１２ｂの径方向Ｄの端部側には、それぞれ軸部１１の周方向（図２（ｂ）の矢印Ｃ１の方向であって、反時計回り方向）へ向かって突出する突出部１５ａ，１５ｂが設けられている。
【００１７】
実施の形態１では、突出部１５ａ，１５ｂは、保持部１２ａ，１２ｂに対して軸部１１の周方向の一の側であるＣ１方向（前方ＦＲ）のみに設けられている。しかも、各突出部１５ａ，１５ｂは、径方向Ｄの外側が円弧状で内側が保持部１２ａ，１２ｂに対して略直角な直線状とするくちばし状（或いはフック状）に保持部１２ａ，１２ｂから突出している。このようにＣ１方向のみに突出する突出部１５ａ，１５ｂにより、リフィル１０の前後の方向を容易に把握することが可能となるとともに、手指で保持する領域を広くすることが可能となっている。
【００１８】
また、突出部１５ａ，１５ｂの外表面には、溝又は突条からなる凹凸部１６が設けられており、突出部１５ａ，１５ｂを手指で保持したときの滑り止め効果を奏している。実施の形態１では、リフィル１０は、第１軸１１ａと、一方の保持部１２ａ及び突出部１５ａとを合成樹脂によって一体に成形し、第２軸１１ｂと、他方の保持部１２ｂ及び突出部１５ｂとを合成樹脂によって一体に成形している。
【００１９】
（ロールステープルの構成）
次に、上記リフィル１０が取り付けられるロールステープル２０について説明する。ロールステープル２０は、周知のものを用いており、その構成については、前述した特許文献１、２などに詳細に記載されているので、以下では簡単に説明する。
【００２０】
ロールステープル２０は、直線ステープルを並列に接続したシート状の連結ステープル２１をロール状に巻き回した構成であり、中心部には、リフィル１０の軸部１１を挿通する挿通部２２が設けられている。この挿通部２２として、例えばロールステープル２０の製造機械の軸に連結ステープル２１をロール状に巻き回し、軸から外したときに中心部に形成される空洞部を利用することができる。また、ロールステープル２０の中心に筒状体を配置し、該筒状体の空洞部に軸部１１を挿通する構成とすることもできる。
【００２１】
ロールステープル２０は、例えば連結ステープル２１の一方の面に所定幅で接着剤や接着テープを塗布した状態で巻き回した構成とすることができる。また、ロールステープル２０の緩みを防止するだけでなく、引き出しを容易とするために、ロールステープル２０の外周に樹脂製のベルトを巻き付けた構成とすることも望ましい。
【００２２】
（ステープルユニットの構成）
ステープルユニットＳｕは、図２（ｂ）に示すように、リフィル１０とロールステープル２０とで構成され、リフィル１０の軸部１１がロールステープル２０の挿通部２２に挿通されている。リフィル１０とロールステープル２０の組み付け手順としては、例えば、挿通部２２に左右方向から第１軸１１ａと第２軸１１ｂとをそれぞれ挿入する。次いで、図５（ｂ）に断面図として示すように、挿通部２２内で嵌合突部１３を嵌合凹部１４に圧入して互いに嵌め合せることで、ステープルユニットＳｕを得ることができる。
【００２３】
上述のような実施の形態１のステープルユニットＳｕでは、図２（ｂ）に示すように、リフィル１０の突出部１５ａ，１５ｂを含めた保持部１２ａ，１２ｂが、ロールステープル２０の端面の一部のみを覆う形状となっている。すなわち、円盤状のフランジ等のようにロールステープル２０の端面の全体を覆うものではない。そのため、保持部１２ａ，１２ｂを設けていても、ロールステープル２０の端面を視認することができ、ロールステープル２０の残量や、巻きの緩み等を容易に把握することができる。また、リフィル１０の制作時の材料をより少なくすることもできる。
【００２４】
さらに、保持部１２ａ，１２ｂは、径方向Ｄにおいてロールステープル２０の最外周よりも外側まで突出するような長さを有している。以上の構成により、使用者がステープルユニットＳｕの交換のため、保持部１２ａ，１２ｂを手指で保持したときに、直線ステープルの先端が手指に当たるのを効果的に抑制することができる。
【００２５】
また、突出部１５ａ，１５ｂが前方ＦＲにのみ突出していることから、ステープルユニットＳｕの前後の方向も容易に把握することが可能となる。さらに、突出部１５ａ，１５ｂを目安にステープルユニットＳｕを前後方向において正しい位置に配置すると、図２（ｂ）に示すように、ロールステープル２０の引き出し側の先端部２０Ａも前方ＦＲに向いて配置される。そのため、カートリッジ３０の後述する送り手段３４に、ロールステープル２０を確実にセットすることができる。なお、ロールステープル２０の引き出し方向は、図２（ｂ）の周方向において矢印Ｃ２の方向（時計回り方向）であり、突出部１５ａ，１５ｂの突出方向の矢印Ｃ１の方向とは反対方向となる。
【００２６】
（カートリッジの構成）
次に、ステープルユニットＳｕを装填するカートリッジ３０について説明する。カートリッジ３０は、後述の一対の側壁３７ａ，３７ｂが、リフィル１０の保持部１２ａ，１２ｂに対応した形状となっていること以外は、周知のものと同様の基本構成を有し、針送り等の基本動作も周知のものと同様である。その基本構成及び基本動作は、上記の特許文献１、２又は特開２００３−２１１３６８号公報などに詳細に記載されているので、以下では簡単に説明する。
【００２７】
カートリッジ３０は、ステープラ１００に対して前後方向にスライドして着脱可能に設けられている。このカートリッジ３０は、ステープルユニットＳｕが装填される装填室３１が形成されたカートリッジ本体３２と、このカートリッジ本体３２に開閉自在に設けられた蓋３３と、カートリッジ本体３２の底部（ベース部材４４）に設けられた送り手段３４と、カートリッジ３０の着脱の際に把持する取手部３５等を備えている。
【００２８】
装填室３１には、円弧状の後壁３６が設けられ、この後壁３６の両側の前方ＦＲには、一対の側壁３７ａ，３７ｂが設けられている。一対の側壁３７ａ，３７ｂは、図２（ｂ）等に示すように、前方ＦＲ上部が、突出部１５ａ，１５ｂが突出した保持部１２ａ，１２ｂ及び軸部１１の外形と同じ形状で切欠かれ、該保持部１２ａ，１２ｂ及び軸部１１の左右の端部を係合する係合受部３８ａ，３８ｂが設けられている。
【００２９】
蓋３３は、左右方向に延びる支軸３３Ａを介して一対の側壁３７ａ，３７ｂに回動可能に軸支されている。蓋３３の内周面及び外周面は、ロールステープル２０に対応した円弧状に形成されている。蓋３３の内周面の左右方向の両側には、所定の厚みで内側に突出するロール当接部３９ａ，３９ｂが設けられている。このロール当接部３９ａ，３９ｂは、装填室３１に装填されたロールステープル２０を、回転自在に保持可能となっている。
【００３０】
また、蓋３３の先端の中央部には、周方向へ突出した突出部４０が形成されている。この突出部４０の外面には周方向に沿って延びた３つのリブ４１が形成されている。そして、図５（ａ）に示すように、蓋３３を閉じたときに、突出部４０及びリブ４１と、後述のガイド壁４６との間に、連結ステープル２１を送り手段３４側に引き出す引出口４２が形成される。なお、ロールステープル２０にベルトを設けた場合には、リブ４１と後述のガイド壁４５との間の隙間からベルトを引き出して、送り手段３４への連結ステープル２１のセットやベルトの取り外しを行うことができる。
【００３１】
送り手段３４の前方ＦＲには、ステープラ１００のドライバ機構部がステープルを打ち出す打出部４３と、ベース部材４４とが設けられている。ベース部材４４には、前後方向に延在し、上下に積層された一対のガイド壁４５,４６が設けられている。この一対のガイド壁４５，４６間が連結ステープル２１の搬送路４７となっている。搬送路４７の前端は打出部４３まで延びており、搬送路４７の後部は装填室３１の内部と連通している。
【００３２】
ガイド壁４５とベース部材４４との間には前後に往復移動可能な送り部材４８やスライド部材４９が配置されている。送り部材４８には、搬送路４７内に突出する送爪が設けられている。送り部材４８が前進するときに、送爪によって連結ステープル２１を打出部４３に向けて送り出す構成となっている。
【００３３】
また、送り手段３４には、ベース部材４４と蓋３３を連結し、蓋３３を開けたときに、送り部材４８及びスライド部材４９を後方ＲＲに移動させて、連結ステープル２１を搬送方向と逆方向へ戻すためのリンク機構５０が設けられている。
【００３４】
以上のような構成のカートリッジ３０へステープルユニットＳｕを装填するときには、図２（ｂ）に示すように、蓋３３を開けて装填室３１を露出させる。このとき、使用済のリフィル１０があった場合には、保持部１２ａ，１２ｂを保持することで、容易に取り出すことができる。次に、補充用の新たなステープルユニットＳｕの保持部１２ａ，１２ｂを、突出部１５ａ，１５ｂが手前側に突出するように保持する。保持部１２ａ，１２ｂを保持することで、ロールステープル２０を直接に保持することがなくなり、直線ステープルの先端が手指に当たるのを抑制することができ、ステープルユニットＳｕを容易に取り扱うことができる。また、突出部１５ａ，１５ｂを設けたことで、保持領域が広くなり、保持安定性が向上するとともに、ステープルユニットＳｕの前後方向を容易に把握でき、前後を誤ることなく装填室３１へ装填することができる。また、ロールステープル２０を、その下方ＲＲから連結ステープル２１が前方ＦＲへ送り出される向きに確実に配置することができる。
【００３５】
ステープルユニットＳｕを充填室３１に装填すると、図３に示すように、保持部１２ａ，１２ｂが側壁３７ａ，３７ｂに設けられた係合受部３８ａ，３８ｂに係合する。次いで、蓋３３を閉じると、図４に示すように円弧状の蓋３３に沿って、突出部１５ａ，１５ｂの円弧状の外周縁が配置される。実施の形態１では、係合受部３８ａ，３８ｂを保持部１２ａ，１２ｂの外形と同じ形状で、かつ前方ＦＲのみに突出する形状としているため、装填時の安定性を向上させることができる。さらに、例えば、突出部１５ａ，１５ｂを後方ＲＲに向けた状態でステープルユニットＳｕを装填室３１に装填しようとしても、保持部１２ａ，１２ｂを係合受部３８ａ，３８ｂに係合することができない。そのため、保持部１２ａ，１２ｂが係合受部３８ａ，３８ｂから上方ＵＰに突出し、蓋３３を閉じることができなくなる。したがって、上述のような係合受部３８ａ，３８ｂの形状も、ステープルユニットＳｕを前後方向において正しい向きで装填する目安とすることができる。
【００３６】
なお、リフィル１０の構成が、上記実施の形態１の構成に限定されるものではない。例えば、保持部１２ａ，１２ｂが一対に限定されることはなく、変形例として、いずれか一方のみを設けた構成とすることができる。このような構成でも、一方の保持部１２ａ又は１２ｂのみを摘まんで保持することで、ステープルの先端を保持することなく、ステープルユニットを容易に装填することができる。また、突出部１５ａ，１５ｂも、保持部１２ａ，１２ｂのいずれか一方のみに設けた構成とすることもできる。また、実施の形態１では、保持部１２ａ，１２ｂの端部から突出部１５ａ，１５ｂを突出しているが、保持部１２ａ，１２ｂの途中から突出させるなど、何れの位置からでも突出させることができる。
【００３７】
また、リフィル１０の突出部１５ａ，１５ｂは、保持部１２ａ，１２ｂの周方向の一の側（前方ＦＲ）及び他の側（後方ＲＲ）に、互いに異なる形状で設けることもできる。この構成でも、リフィル１０の前方ＦＲと後方ＲＲとを容易に把握することができ、カートリッジ３０への装填を確実かつ容易に行うことができる。
【００３８】
また、軸部１１を第１軸１１ａと第２軸１１ｂに分ける必要もなく、ロールステープル２０の挿通部２２に挿通できるのであれば、１つの軸とすることもできる。また、第１、第２軸１１ａ、１１ｂと各保持部１２ａ，１２ｂ及び各突出部１５ａ，１５ｂとをそれぞれ別個に形成し、互いに組み付けたリフィル１０とすることもできる。
【００３９】
また、軸部１１は、上記実施の形態１において、略円柱状を成す軸形状に設けた例を示したが、この実施の形態１の構成に限定されることはなく、三角柱形状や四角柱形状などの多角柱形状や、楕円柱形状の軸部として設けることもできる。
【００４０】
（実施の形態１の構成及び効果）
以下に、実施の形態１のリフィル１０の各部の構成及び効果を列挙する。
【００４１】
１）実施の形態１のリフィル１０は、軸部１１と、軸部１１の一端側から該軸部１１の径方向Ｄに向かって延出する保持部１２ａ，１２ｂと、を有していることを特徴とする。
したがって、軸部１１から延出する保持部１２ａ，１２ｂを保持することで、リフィル１０の取り扱いが容易となる。
【００４２】
２）実施の形態１のリフィル１０において、保持部１２ａ，１２ｂは、軸部１１の周方向へ向かって突出する突出部１５ａ，１５ｂを有していることを特徴とする。
したがって、保持部１２ａ，１２ｂに突出部１５ａ，１５ｂを設けることで、使用者の手指で保持する領域が大きく（広面積）となり、リフィル１０の取扱いがより容易となる。
【００４３】
３）実施の形態１のリフィル１０において、突出部１５ａ，１５ｂは、保持部１２ａ，１２ｂの周方向の一の側（Ｃ１）のみに設けられていることを特徴とする。
したがって、保持部１２ａ，１２ｂの周方向の一の側（Ｃ１）のみに突出する突出部１５ａ，１５ｂにより、リフィル１０の向きを容易に把握することができる。
【００４４】
４）実施の形態１のリフィル１０において、突出部１５ａ，１５ｂは、保持部１２ａ，１２ｂの周方向の一の側（Ｃ１）及び他の側（Ｃ２）に、互いに異なる形状で設けられていることを特徴とする。
したがって、保持部１２ａ，１２ｂの周方向の一の側（Ｃ１）及び他の側（Ｃ２）に、互いに異なる形状で設けられた突出部１５ａ，１５ｂにより、リフィル１０の向きを容易に把握することができる。
【００４５】
５）実施の形態１のリフィル１０において、保持部１２ａ，１２ｂは、軸部１１の周方向のうちの一部の領域から、径方向Ｄに延出することを特徴とする。
したがって、軸部１１の周方向の全周又はほぼ全周から保持部１２ａ，１２ｂを延出した場合に比べて、材料を少なくすることができ、リフィル１０の製造コストを低減することができる。また、ロールステープル２０の端面を視認することができ、ロールステープル２０の残量や緩み等を容易に把握することができる。
【００４６】
６）実施の形態１のリフィル１０において、軸部１１が、嵌合突部１３を有する第１軸１１ａと、嵌合突部１３を係合し、該嵌合突部１３の外径寸法よりも内径寸法が小さい嵌合凹部１４を有する第２軸１１ｂとから構成されることを特徴とする。
したがって、軸部１１が第１軸１１ａと第２軸１１ｂの２部品で構成されていることで、リフィル１０の他の部材への組み付けが容易となる。また、嵌合突部１３を、その外径寸法よりも内径寸法が小さい嵌合凹部１４に圧入して、互いに嵌め合せることで、第１軸１１ａと第２軸１１ｂとを容易に分離不能に連結することができる。そのため、リフィル１０の耐久性が向上するとともに、不測の分解等を抑制することができる。
【００４７】
７）実施の形態１のリフィル１０において、軸部１１は、直線ステープルを並列に接続したシート状の連結ステープル２１を巻き回したロールステープル２０の中心部に設けられた空洞部（挿通部２２）に挿通されることを特徴とする。
したがって、リフィル１０の保持部１２ａ，１２ｂを保持すればよく、ロールステープル２０を直接に保持する必要がない。そのため、直線ステープルの先端が手指に当たるのを抑制することができる。その結果、リフィル１０を備えたロールステープル２０の取り扱いが容易となる。また、上記１）〜６）のような構成をさらに備えることで、上記１）〜６）のような効果も奏することができる。
【００４８】
８）実施の形態１のリフィル１０において、保持部１２ａ，１２ｂは、ロールステープル２０の端面の一部を覆う形状であることを特徴とする。
したがって、ロールステープル２０の端面を視認することができ、ロールステープル２０の残量や緩み等を容易に把握することができる。また、全部を覆う形状に比べて、材料や製造コストを低減することができる。また、上記１）〜６）のような構成をさらに備えることで、上記１）〜６）のような効果も奏することができる。
【００４９】
９）実施の形態１のリフィル１０において、軸部１１は、直線ステープルを並列に接続したシート状の連結ステープル２１を巻き回したロールステープル２０の中心部に設けられた空洞部（挿通部２２）に挿通され、突出部１５ａ，１５ｂは、軸部１１の周方向のうち、ロールステープル２０が引き出される一の周方向（Ｃ２）とは反対の他の周方向（Ｃ１）へ突出して設けられていることを特徴とする。
したがって、突出部１５ａ，１５ｂによってリフィル１０を備えたロールステープル２０の方向を確認すると同時に、ロールステープル２０を、引き出される方向へ確実に向けることができる。その結果、送り手段３４等へのロールステープル２０のセットを確実に行って、ステープルの搬送を円滑に行うことができる。
【００５０】
１０）実施の形態１のリフィル１０において、軸部１１が直線ステープルを並列に接続したシート状の連結ステープル２１を巻き回したロールステープル２０の中心部に設けられた空洞部（挿通部２２）に挿通された状態で、ステープラ１００又は該ステープラ１００に装着するカートリッジ３０に装填されることを特徴とする。
したがって、リフィル１０を保持することで、ロールステープル２０を直接に保持する必要がなく、直線ステープルの先端が手指に当たるのを抑制することができる。その結果、ロールステープル２０をカートリッジ３０に装填する場合も、ステープラ１００に直接に装填する場合も、リフィル１０を備えたロールステープル２０の取り扱いが容易となる。また、上記１）〜６）のような構成をさらに備えることで、上記１）〜６）のような効果も奏することができる。
【００５１】
以上、実施の形態を図面により詳述してきたが、上記実施の形態１は例示にしか過ぎないものである。よって、本発明は、実施の形態１にのみ限定されるものではなく、要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、複数の実施の形態や変形例が開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５２】
１０    リフィル
１１    軸部
１１ａ  第１軸
１１ｂ  第２軸
１２ａ  保持部
１２ｂ  保持部
１３    嵌合突部
１４    嵌合凹部
１５ａ  突出部
１５ｂ  突出部
２０    ロールステープル
２１    連結ステープル
２２    挿通部（空洞部）
Ｓｕ    ステープルユニット
【図１】
2018012173.tif 000003
【図２】
2018012173.tif 000004
【図３】
2018012173.tif 000005
【図４】
2018012173.tif 000006
【図５】
2018012173.tif 000007